(57)【要約】【課題】バージョンアップ処理などの特定プログラムを含む各種プログラムの起動を簡易かつ迅速に行うこと。【解決手段】起動すべきプログラムを指定する起動指示情報３を記憶した内部ＲＦＩＤタグ２と、少なくとも起動指示情報３を読み取るＲＦＩＤリーダライタ４と、ＲＦＩＤリーダライタ４に起動指示情報３を読み取らせ、この読み取った起動指示情報３が指示する作業プログラム６ａあるいは書換プログラム６ｂを起動させる制御を行う起動制御部５ａとを備える。【選択図】        図１
2006190180.tif 000002
【特許請求の範囲】
【請求項１】
少なくとも起動に関する指示情報を記憶した情報記憶媒体と、
前記情報記憶媒体に記憶された指示情報を非接触で読み取る読取手段と、
前記読取手段に前記指示情報を読み取らせ、この読み取った指示情報が指示するプログラムを含む起動内容をもとに起動処理を行う起動制御手段と、
を備えたことを特徴とする情報装置。
【請求項２】
前記情報記憶媒体は、ＲＦＩＤタグであり、外部のＲＦＩＤリーダライタによって前記指示情報が非接触で書き換えられることを特徴とする請求項１に記載の情報装置。
【請求項３】
前記読取手段は、前記情報記憶媒体に対する書込処理を行うことができる内部のＲＦＩＤリーダライタであり、
前記指示情報は、前記ＲＦＩＤリーダライタによって非接触で書き換えられることを特徴とする請求項１または２に記載の情報装置。
【請求項４】
前記情報記憶媒体は、
識別情報と該識別情報に設定されたアクセス権との対応関係をもとに前記指示情報の書込に対するアクセスの可否を制御するアクセス制御手段を備えたことを特徴とする請求項１〜３のいずれか一つに記載の情報装置。
【請求項５】
前記プログラムは、オペレーティングシステム、ソフトウェア書換プログラム、および自己診断プログラムのうちの１以上のプログラムを含むことを特徴とする請求項１〜４のいずれか一つに記載の情報装置。
【請求項６】
装置の起動指示を受けた場合、装置内部のＲＦＩＤタグに記憶されている指示情報を読み取る読込手順と、
読込手順によって読み取られた指示情報が指示するプログラムを起動する起動手順と、
をコンピュータに実行させることを特徴とする起動管理プログラム。
【発明の詳細な説明】
【技術分野】
【０００１】
この発明は、内部に有したプログラムを起動して各種の情報処理を行う情報装置および起動管理プログラムに関するものである。
【背景技術】
【０００２】
近年、各種の情報装置には、各種のプログラムが組み込まれるが、これらの組み込まれたプログラムは逐次改良され、その都度あるいは一定期間毎にバージョンアップ処理を行う必要がある。このバージョンアップ処理は、製造時においては簡便な処理であることが望まれ、一方、出荷後において一般ユーザによる誤操作を避けるため、複雑な入力処理を強要させる必要がある。そこで、現在一般に行われるバージョンアップ時における特定の操作は、たとえば電源投入後の一定期間内に、特定のボタンやファンクションキーを押し続けるようにしている。
【０００３】
ここで、ＲＦＩＤタグは、物品識別用の情報が記憶され、この物品にＲＦＩＤタグを内蔵することで、この物品の識別に利用されることが多い。このＲＦＩＤタグに直接接続された回路を用いてこのＲＦＩＤタグ内の情報を読み出し、コンピュータの起動の可否を判定するものがある（特許文献１参照）。
【０００４】
【特許文献１】特開２０００−３１５１１９号公報
【発明の開示】
【発明が解決しようとする課題】
【０００５】
上述したバージョンアップ時における特定の操作は複雑であり、ある程度の熟練を必要とし、多数の情報装置に対するバージョンアップ処理を行う場合には、多大な労力と時間がかかるという問題点があった。
【０００６】
この発明は、上記に鑑みてなされたものであって、バージョンアップ処理などの特定プログラムを含む各種プログラムの起動を簡易かつ迅速に行うことができる情報装置および起動管理プログラムを提供することを目的とする。
【課題を解決するための手段】
【０００７】
上述した課題を解決し、目的を達成するために、請求項１にかかる情報装置は、少なくとも起動に関する指示情報を記憶した情報記憶媒体と、前記情報記憶媒体に記憶された指示情報を非接触で読み取る読取手段と、前記読取手段に前記指示情報を読み取らせ、この読み取った指示情報が指示するプログラムを含む起動内容をもとに起動処理を行う起動制御手段と、を備えたことを特徴とする。
【０００８】
また、請求項２にかかる情報装置は、上記の発明において、前記情報記憶媒体は、ＲＦＩＤタグであり、外部のＲＦＩＤリーダライタによって前記指示情報が非接触で書き換えられることを特徴とする。
【０００９】
また、請求項３にかかる情報装置は、上記の発明において、前記読取手段は、前記情報記憶媒体に対する書込処理を行うことができる内部のＲＦＩＤリーダライタであり、前記指示情報は、前記ＲＦＩＤリーダライタによって非接触で書き換えられることを特徴とする。
【００１０】
また、請求項４にかかる情報装置は、上記の発明において、前記情報記憶媒体は、識別情報と該識別情報に設定されたアクセス権との対応関係をもとに前記指示情報の書込に対するアクセスの可否を制御するアクセス制御手段を備えたことを特徴とする。
【００１１】
また、請求項５にかかる情報装置は、上記の発明において、前記プログラムは、オペレーティングシステム、ソフトウェア書換プログラム、および自己診断プログラムのうちの１以上のプログラムを含むことを特徴とする。
【００１２】
また、請求項６にかかる起動管理プログラムは、装置の起動指示を受けた場合、装置内部のＲＦＩＤタグに記憶されている指示情報を読み取る読込手順と、読込手順によって読み取られた指示情報が指示するプログラムを起動する起動手順と、をコンピュータに実行させることを特徴とする。
【発明の効果】
【００１３】
この発明によれば、ＲＦＩＤタグなどの情報記憶媒体に記憶された起動に関する指示情報などは、外部のＲＦＩＤリーダライタや内部のＲＦＩＤリーダライタなどによって非接触に書き込まれ、この指示情報は、読取手段によって非接触で読み取られ、起動制御手段は、この読み取った指示情報が指示するプログラムを起動するようにしているので、簡易な構成で、バージョンアップ処理などの特定プログラムを含む各種プログラムの起動を簡易かつ迅速に行うことができるという効果を奏する。
【発明を実施するための最良の形態】
【００１４】
以下、図面を参照して、この発明の最良の形態である情報装置および起動管理プログラムについて説明する。なお、ここでは情報装置の一例として携帯可能な情報端末装置について説明する。
【００１５】
（実施の形態１）
図１は、この発明の実施の形態１である情報端末装置の概要構成を示す斜視図である。また、図２は、この発明の実施の形態１である情報端末装置の構成を示すブロック図である。図１および図２において、情報端末装置１は、ＲＦＩＤタグに対する読込書込機能を有し、各種の情報処理および通信処理を行い、たとえばＰＤＡなどによって実現される。
【００１６】
情報端末装置１は、内蔵されたＲＦＩＤタグであって起動指示情報３が書換可能に保持される内部ＲＦＩＤタグ２を有する。また、情報端末装置１は、アンテナ４ａを介して、内部ＲＦＩＤタグ２内の起動指示情報３あるいは外部のＲＦＩＤタグ９内の情報を非接触で読込および書込を行うＲＦＩＤリーダライタ４と、起動制御部５ａを有した制御部５と、作業プログラム６ａ，書換プログラム６ｂ，および管理テーブル６ｃを有した記憶部６と、入力部７と、少なくとも表示出力機能を有する出力部８とを有する。制御部５は、ＲＦＩＤリーダライタ４、記憶部６、入力部７、出力部８を接続し、各部の制御を行う。なお、出力部８は、タッチパネルとして入力処理を行うことができるようにしてもよい。
【００１７】
記憶部６に記憶された作業プログラム６ａは、たとえば外部のＲＦＩＤタグ９内の情報を読み込み、この読込によって得た情報に対する作業処理を行うプログラムであり、試薬や各種の備品などを管理するプログラムや情報端末装置１自体のメンテナンスに関するプログラムである。書換プログラム６ｂは、たとえば管理者が起動することができるプログラムであり、バージョンアップ時の書換用のプログラムである。管理テーブル６ｃは、起動指示情報３と記憶部６内の各種プログラムとの対応関係が記載されている。たとえば、図２に示すように、起動指示情報「１００１」は書換プログラム６ｂが対応して指示することになり、起動指示情報「２００１」，「２００２」は、それぞれ作業プログラム「Ａ」，「Ｂ」が対応して指示することになる。起動指示情報３は、外部ＲＦＩＤリーダライタ１０あるいは内部のＲＦＩＤリーダライタ４によって書き換えられる。
【００１８】
ここで、図３に示すフローチャートを参照して、起動制御部５ａによる起動管理制御処理について説明する。図３において、まず起動制御部５ａは、入力部７から起動指示があったか否かを判断する（ステップＳ１０１）。起動指示があった場合（ステップＳ１０１，Ｙｅｓ）には、ＲＦＩＤリーダライタ４に対して読込指示を行い、内部ＲＦＩＤタグ２内の起動指示情報３を読み込む（ステップＳ１０２）。
【００１９】
その後、読み込んだ起動指示情報３が管理テーブル６ｃに登録されているか否かを判断する（ステップＳ１０３）。起動指示情報３が管理テーブル６ｃに登録されている場合（ステップＳ１０３，Ｙｅｓ）、この起動指示情報３に対応する作業プログラム６ａあるいは書換プログラム６ｂなどのプログラムを起動させ（ステップＳ１０４）、本処理を終了する。一方、起動指示情報３が管理テーブル６ｃに登録されていない場合（ステップＳ１０３，Ｎｏ）には、予め設定された通常起動を行って（ステップＳ１０５）本処理を終了する。なお、通常起動（ステップＳ１０５）を行わず、そのまま本処理を終了するように設定してもよいし、通常起動の代わりにエラー表示を行う設定としてもよいし、さらにこのエラー表示の後、所定時間経過後、電源オフを行う設定としてもよい。
【００２０】
このようにして、情報端末装置１本体内に内部ＲＦＩＤタグ２を設け、この内部ＲＦＩＤタグ３に起動指示情報３を記憶させておき、入力部７から起動指示あるいは電源オンなどの簡易な操作のみによって、所望のプログラムを直ちに立ち上げることができる。特に、書換プログラム６ｂなどの起動は通常、複雑な入力操作が強要されるが、この実施の形態１では、簡易な操作のみで書換プログラムを立ち上げることができる。
【００２１】
このような簡易な操作のみによるプログラムの起動処理は、多数の情報端末装置１の内部ＲＦＩＤタグ３に対して、外部ＲＦＩＤリーダライタ１０を用いて非接触で所望の起動指示情報３に書き換えるのみで、全ての情報端末装置１に対しては電源オンのみで、たとえば書換プログラムが立ち上がることになり、ソフトウェアのバージョンアップ処理を容易かつ迅速に行うことができる。しかも、外部ＲＦＩＤリーダライタ１０は、同時に複数台の情報端末装置１に対する起動指示情報３の書換処理を行うことができるので、一層、容易かつ迅速にバージョンアップ処理などを行うことができる。なお、上述したように、外部ＲＦＩＤリーダライタ１０を用いず、内蔵されているＲＦＩＤリーダライタ４を用いて起動指示情報３を書き換えることができる。換言すれば、１台の情報端末装置１が他の情報端末装置１に対する外部ＲＦＩＤリーダライタ１０として用いることができる。もちろん、情報端末装置１に限らず、携帯型でないデスクトップタイプの情報装置にも、適用できるのは明らかである。
【００２２】
また、上述した実施の形態１では、作業プログラム６ａおよび書換プログラム６ｂが起動対象プログラムの一例としてあげたが、具体的に、１以上のオペレーティングシステム、自己診断プログラムなどの各種のプログラムを含めることができるのは言うまでもない。
【００２３】
なお、上述した情報端末装置１は、光学情報の読取を行う光学情報読取部、情報端末装置１本体に対して着脱可能なストレージデバイス、無線ＬＡＮなどの無線通信手段によって外部と無線通信を行う外部通信部、さらには音声入出力部を設けるようにすることが好ましい。
【００２４】
さらに、上述した実施の形態１では、起動指示情報３を用いて主にプログラムの起動を行うものであったが、これに限らず、たとえば初期スイッチの切替指示や最初に読み込むべきあるいは表示すべきデータの指示にも適用できる。
【００２５】
この実施の形態１では、内蔵した内部ＲＦＩＤタグ２内に起動指示情報３を保持し、外部ＲＦＩＤリーダライタ１０などによる書込によってこの起動指示情報３を予め設定しておき、情報端末装置１はこの起動指示情報３が指示する内容をもとに、起動処理を行うようにしているので、たとえばプログラムのバージョンアップ処理時における煩雑な起動処理を行う必要がなく、多数の情報端末装置１に対する起動処理を容易かつ迅速に行うことができる。
【００２６】
（実施の形態２）
つぎに、この発明の実施の形態２について説明する。上述した実施の形態１では、内部ＲＦＩＤタグ２内の起動指示情報３の書換設定を外部ＲＦＩＤリーダライタ１０が非接触で容易に行えるようにしていたが、この実施の形態２では、内部ＲＦＩＤタグ３に対する書込アクセスを制限できるようにしている。
【００２７】
図４は、この発明の実施の形態２である情報端末装置１１の構成を示すブロック図である。図４において、内部ＲＦＩＤタグは、起動指示情報３の他に、アクセス制御部３ａおよび参照テーブル３ｂをさらに有している。その他の構成は実施の形態１と同じであり、同一構成部分には同一符号を付している。
【００２８】
参照テーブル３ｂには、起動指示情報３への書込アクセスを許可するＩＤが保持されており、アクセス制御部３ａは、内部ＲＦＩＤタグ２に対する書込アクセスが発生した場合、書込アクセスを行った外部ＲＦＩＤリーダライタ１０のＩＤを取得し、このＩＤが参照テーブル３ｂ内に保持されている場合には起動指示情報３への書込変更を許し、このＩＤが参照テーブル３ｂ内に保持されていない場合には起動指示情報３への書込変更を禁止する制御を行う。
【００２９】
この実施の形態２では、内部ＲＦＩＤタグ２内にアクセス制御部３ａと山椒テーブル３ｂとを設け、書込アクセスがあった場合に、書込アクセスが許されているライタのみに書込を許すようにしているので、起動指示情報３の書込変更に対するセキュリティを増すことができる。
【００３０】
なお、上述した実施の形態１，２では、いずれも１つのアンテナ４ａを用いて外部のＲＦＩＤタグ９および内部ＲＦＩＤタグ２の双方にアクセスするようにしていたが、これに限らず、外部のＲＦＩＤタグ９および内部ＲＦＩＤタグ２のそれぞれに個別のアンテナを設けるようにしてもよい。この場合、共振周波数などを異なるように設定してもよい。
【図面の簡単な説明】
【００３１】
【図１】この発明の実施の形態１である情報端末装置の構成を示すブロック図である。
【図２】管理テーブルの内容の一例を示す図である。
【図３】起動制御部による起動管理制御手順を示すフローチャートである。
【図４】この発明の実施の形態２である情報端末装置の構成を示すブロック図である。
【符号の説明】
【００３２】
１，１１    情報端末装置
２    内部ＲＦＩＤタグ
３    起動指示情報
４    ＲＦＩＤリーダライタ
４ａ  アンテナ
５    制御部
５ａ  起動制御部
６    記憶部
６ａ  作業プログラム
６ｂ  書換プログラム
６ｃ  管理テーブル
７    入力部
８    出力部
９    ＲＦＩＤタグ
１０    外部ＲＦＩＤリーダライタ
【図１】
2006190180.tif 000003
【図２】
2006190180.tif 000004
【図３】
2006190180.tif 000005
【図４】
2006190180.tif 000006